(57)【要約】【課題】本発明は医用智能ナイトテーブルを開示した。  【解決手段】医用ナイトテーブル主体を含み、前記医用ナイトテーブル主体の上端面には前記医用ナイトテーブル主体の後側端面に近接している医療器具スタンドが設置され、前記医療器具スタンドの中には左右対称の取手装置が設置され、前記医用ナイトテーブル主体の上端面には前記医療器具スタンドの前端に位置しており、且つ前記医用ナイトテーブル主体の右側端面に位置している薬品収納ケース装置が設置され、本発明は薬品と個人用品とを分離して固定することを通じて、薬品が汚染されないことを保証し、また一回で一個の丸薬を取る構成によって倒れることで薬品を浪費することを避け、そして回転の機械伝動の協働によってナイトテーブルを補助車いすに変えて移動を補助する。【選択図】図１
2020185360.tif 000002
【特許請求の範囲】
【請求項１】
正面視で、医用ナイトテーブル主体を含み、
前記医用ナイトテーブル主体の上端面には前記医用ナイトテーブル主体の後側端面に近接している医療器具スタンドが設置され、前記医療器具スタンドの中には左右対称の取手装置が設置され、
前記医用ナイトテーブル主体の上端面には前記医療器具スタンドの前端に位置しており、且つ前記医用ナイトテーブル主体の右側端面に位置している薬品収納ケース装置が設置され、
前記医用ナイトテーブル主体の上端面には前記薬品収納ケース装置の左側に位置している点滴用ロッドが設置され、
前記医用ナイトテーブル主体の中には前方へ開口した小スライドチャンバが設置され、前記小スライドチャンバの中には小引き出しがスライドできるように連結され、前記小スライドチャンバの下端には前方へ開口した大スライドチャンバが設置され、前記大スライドチャンバの中には大引き出しがスライドできるように連結され、前記小スライドチャンバの上端には上方へ開口した開口溝が設置され、前記開口溝にはクッション装置が回転できるように設置され、
前記医用ナイトテーブル主体の中には前記大スライドチャンバの左右端に位置している対称の伝動チャンバが設置され、前記伝動チャンバの間には前記大スライドチャンバの下端に位置しており、且つ前方へ開口したフットサポート収納溝が連通するように設置され、前記フットサポート収納溝の中にはフットサポート装置が設置されていることを特徴とする医用智能ナイトテーブル。
【請求項２】
前記移動装置は前記医用ナイトテーブル主体の下端に設置され、且つ中心対称の四つの車軸を含み、前記車軸の下端にはボールがスライドできるように連結されていることを特徴とする請求項１に記載の医用智能ナイトテーブル。
【請求項３】
前記取手装置は前記医療器具スタンドのうち互いに近接している側の内壁に設置されたスライド溝を含み、前記スライド溝には取手がスライドできるように連結され、前記取手と前記スライド溝との間には引っ張りばねが連結され、前記取手のうち互いに近接している側の端面には接触ロッドが設置されていることを特徴とする請求項１に記載の医用智能ナイトテーブル。
【請求項４】
前記薬品収納ケース装置は前記医用ナイトテーブル主体の上端端面の中に設置された弾性により復帰できる伸縮ガイドロッドを含み、前記伸縮ガイドロッドの上端には薬ケースが設置され、前記薬ケースの中には中心対称の四つの薬品貯蔵チャンバが設置され、
前記医療器具スタンドの前端には連結軸が固定的に連結され、前記連結軸の下端には前記薬ケースと螺旋状に連結されることができる蓋が回転できるように連結され、前記蓋の中には前記薬品貯蔵チャンバと対応している密封チャンバが設置され、前記密封チャンバには抜き孔が連通するように設置され、前記抜き孔の中には隔離膜が設置され、
前記蓋の上端には前記隔離膜のうち対称中心から離れている側に位置しているリミットロッドが設置され、前記連結軸には横板がスライドできるように連結され、前記横板の下端と前記蓋の上端との間には圧縮ばねが連結され、
前記連結軸の右端には薬品置きブロックが設置され、前記薬品置きブロックには上方へ開口した薬品置き溝が設置され、前記薬品置き溝の左側にはノッチが連通するように設置され、前記薬品置き溝の右側には回転溝が設置され、前記回転溝の中には弾性により復帰できる回転ロッドが回転できるように連結され、前記回転ロッドの左端にはヒンジ連結座がヒンジにより連結され、
前記薬品置き溝の中には前記ヒンジ連結座とスライドできるように連結された置き台がスライドできるように連結されていることを特徴とする請求項１に記載の医用智能ナイトテーブル。
【請求項５】
前記クッション装置は前記開口溝と回転できるように連結され、且つ前記伝動チャンバの中まで左右に伸びている動力伝送軸を含み、
前記動力伝送軸の外側には前記接触ロッドと当接しているクッションが設置され、前記動力伝送軸には前記伝動チャンバの中に位置している上プーリが設置され、
前記動力伝送軸の外側には前記接触ロッドと当接しているクッションが設置され、前記動力伝送軸には前記伝動チャンバの中に位置している上プーリが設置され、
前記動力伝送軸の中にはリミットチャンバが設置され、前記リミットチャンバの中には当接ロッドが設置され、前記リミットチャンバの中には固定軸が回転できるように連結され、前記固定軸には前記当接ロッドと当接している引っ掛かりロッドが設置されていることを特徴とする請求項１又は請求項３に記載の医用智能ナイトテーブル。
【請求項６】
前記フットサポート装置は前記伝動チャンバの内壁と回転できるように連結され、且つ前記フットサポート収納溝の中に位置している従動軸を含み、前記従動軸には左右対称の下プーリが設置され、前記下プーリと前記上プーリとの間にはベルトが連結され、
前記従動軸には前記フットサポート収納溝の中に位置しているギヤが設置され、前記フットサポート収納溝の底端内壁には前記ギヤと噛み合っているフットサポートがスライドできるように連結されていることを特徴とする請求項１又は請求項５に記載の医用智能ナイトテーブル。
【発明の詳細な説明】
【技術分野】
【０００１】
本発明は医療機械技術分野を取り上げて、具体的には医用智能ナイトテーブルである。
【背景技術】
【０００２】
病院のナイトテーブルには一般的に医療検査設備と薬品、患者用品などが固定される必要がある。ただの二つのナイトテーブルで上記の要求を満たすことができないので、混乱する状況になり、しかも行動が不便な人が出掛けて検診を受ける時、普通に病室の中に車いすがない。本発明は上記の問題を解決できる装置を開示した。
【先行技術文献】
【特許文献】
【０００３】
【特許文献１】中国特許出願公開第１０６３６１０１４号明細書
【発明の概要】
【発明が解決しようとする課題】
【０００４】
技術問題：
ナイトテーブルには一般的に医療設備が置かれ、しかし、従来のナイトテーブルを運ぶことが不便であり、患者の出かけて検査を受ける時と病室を換える時にごく不便である。
本発明は医用智能ナイトテーブルを提供し、上記背景技術において提出された問題を解決することを目的とする。
【課題を解決するための手段】
【０００５】
本発明の医用智能ナイトテーブルは、医用ナイトテーブル主体を含み、前記医用ナイトテーブル主体の上端面には前記医用ナイトテーブル主体の後側端面に近接している医療器具スタンドが設置され、前記医療器具スタンドの中には左右対称の取手装置が設置され、前記医用ナイトテーブル主体の上端面には前記医療器具スタンドの前端に位置しており、且つ前記医用ナイトテーブル主体の右側端面に位置している薬品収納ケース装置が設置され、前記医用ナイトテーブル主体の上端面には前記薬品収納ケース装置の左側に位置している点滴用ロッドが設置され、前記医用ナイトテーブル主体の中には前方へ開口した小スライドチャンバが設置され、前記小スライドチャンバの中には小引き出しがスライドできるように連結され、前記小スライドチャンバの下端には前方へ開口した大スライドチャンバが設置され、前記大スライドチャンバの中には大引き出しがスライドできるように連結され、前記小スライドチャンバの上端には上方へ開口した開口溝が設置され、前記開口溝にはクッション装置が回転できるように設置され、前記医用ナイトテーブル主体の中には前記大スライドチャンバの左右端に位置している対称の伝動チャンバが設置され、前記伝動チャンバの間には前記大スライドチャンバの下端に位置しており、且つ前方へ開口したフットサポート収納溝が連通するように設置され、前記フットサポート収納溝の中にはフットサポート装置が設置され、前記医用ナイトテーブル主体の下側端面には移動装置が設置され、前記医療器具スタンドが医療設備を固定でき、前記点滴用ロッドが点滴することに用いられ、前記薬品収納ケース装置が薬品を貯蔵し、前記クッション装置を回転させる時、噛み合いの伝動と互いに当接して連結されることにより前記取手装置と前記フットサポート装置とを同期起動させている。
【０００６】
好ましくは、前記移動装置は前記医用ナイトテーブル主体の下端に設置され、且つ中心対称の四つの車軸を含み、前記車軸の下端にはボールがスライドできるように連結されている。
【０００７】
好ましくは、前記取手装置は前記医療器具スタンドのうち互いに近接している側の内壁に設置されたスライド溝を含み、前記スライド溝には取手がスライドできるように連結され、前記取手と前記スライド溝との間には引っ張りばねが連結され、前記取手のうち互いに近接している側の端面には接触ロッドが設置されている。
【０００８】
好ましくは、前記薬品収納ケース装置は前記医用ナイトテーブル主体の上端端面の中に設置された弾性により復帰できる伸縮ガイドロッドを含み、前記伸縮ガイドロッドの上端には薬ケースが設置され、前記薬ケースの中には中心対称の四つの薬品貯蔵チャンバが設置され、前記医療器具スタンドの前端には連結軸が固定的に連結され、前記連結軸の下端には前記薬ケースと螺旋状に連結されることができる蓋が回転できるように連結され、前記蓋の中には前記薬品貯蔵チャンバと対応している密封チャンバが設置され、前記密封チャンバには抜き孔が連通するように設置され、前記抜き孔の中には隔離膜が設置され、前記蓋の上端には前記隔離膜のうち対称中心から離れている側に位置しているリミットロッドが設置され、前記連結軸には横板がスライドできるように連結され、前記横板の下端と前記蓋の上端との間には圧縮ばねが連結され、前記連結軸の右端には薬品置きブロックが設置され、前記薬品置きブロックには上方へ開口した薬品置き溝が設置され、前記薬品置き溝の左側にはノッチが連通するように設置され、前記薬品置き溝の右側には回転溝が設置され、前記回転溝の中には弾性により復帰できる回転ロッドが回転できるように連結され、前記回転ロッドの左端にはヒンジ連結座がヒンジにより連結され、前記薬品置き溝の中には前記ヒンジ連結座とスライドできるように連結された置き台がスライドできるように連結されている。
【０００９】
好ましくは、前記クッション装置は前記開口溝と回転できるように連結され、且つ前記伝動チャンバの中まで左右に伸びている動力伝送軸を含み、前記動力伝送軸の外側には前記接触ロッドと当接しているクッションが設置され、前記動力伝送軸には前記伝動チャンバの中に位置している上プーリが設置され、前記動力伝送軸の外側には前記接触ロッドと当接しているクッションが設置され、前記動力伝送軸には前記伝動チャンバの中に位置している上プーリが設置され、前記動力伝送軸の中にはリミットチャンバが設置され、前記リミットチャンバの中には当接ロッドが設置され、前記リミットチャンバの中には固定軸が回転できるように連結され、前記固定軸には前記当接ロッドと当接している引っ掛かりロッドが設置されている。
【００１０】
好ましくは、前記フットサポート装置は前記伝動チャンバの内壁と回転できるように連結され、且つ前記フットサポート収納溝の中に位置している従動軸を含み、前記従動軸には左右対称の下プーリが設置され、前記下プーリと前記上プーリとの間にはベルトが連結され、前記従動軸には前記フットサポート収納溝の中に位置しているギヤが設置され、前記フットサポート収納溝の底端内壁には前記ギヤと噛み合っているフットサポートがスライドできるように連結されている。
【発明の効果】
【００１１】
本発明の有益効果は：本発明は薬品と個人用品とを分離して固定することを通じて、薬品が汚染されないことを保証し、また一回で一個の丸薬を取る構成によって倒れることで薬品を浪費することを避け、そして回転の機械伝動の協働によってナイトテーブルを補助車いすに変え、適応する範囲を広げる。
【図面の簡単な説明】
【００１２】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の医用智能ナイトテーブルの全体構成模式図
【図２】図２は図１の「Ａ―Ａ」の構成模式図
【図３】図３は図１の「Ｂ―Ｂ」の構成模式図
【図４】図４は図１の「Ｃ―Ｃ」の構成模式図
【図５】図５は図１の中の薬品収納ケース装置の構成模式図
【図６】図６は図５の「Ｄ」の拡大構成模式図
【発明を実施するための形態】
【００１４】
本発明は医用智能ナイトテーブルを取り上げて、主に病院や療養所などに応用され、患者の移動の便利を図り、以下本発明の付図を交えて本発明について更に説明し、    
【００１５】
図１〜６を参照し、本発明の医用智能ナイトテーブルは、医用ナイトテーブル主体１１を含み、前記医用ナイトテーブル主体１１の上端面には前記医用ナイトテーブル主体１１の後側端面に近接している医療器具スタンド２５が設置され、前記医療器具スタンド２５の中には左右対称の取手装置９０１が設置され、前記医用ナイトテーブル主体１１の上端面には前記医療器具スタンド２５の前端に位置しており、且つ前記医用ナイトテーブル主体１１の右側端面に位置している薬品収納ケース装置９０２が設置され、前記医用ナイトテーブル主体１１の上端面には前記薬品収納ケース装置９０２の左側に位置している点滴用ロッド２６が設置され、前記医用ナイトテーブル主体１１の中には前方へ開口した小スライドチャンバ１４が設置され、前記小スライドチャンバ１４の中には小引き出し１５がスライドできるように連結され、前記小スライドチャンバ１４の下端には前方へ開口した大スライドチャンバ１２が設置され、前記大スライドチャンバ１２の中には大引き出し１３がスライドできるように連結され、前記小スライドチャンバ１４の上端には上方へ開口した開口溝３３が設置され、前記開口溝３３にはクッション装置９０３が回転できるように設置され、前記医用ナイトテーブル主体１１の中には前記大スライドチャンバ１２の左右端に位置している対称の伝動チャンバ３０が設置され、前記伝動チャンバ３０の間には前記大スライドチャンバ１２の下端に位置しており、且つ前方へ開口したフットサポート収納溝４０が連通するように設置され、前記フットサポート収納溝４０の中にはフットサポート装置９０４が設置され、前記医用ナイトテーブル主体１１の下側端面には移動装置９０５が設置され、前記医療器具スタンド２５が医療設備を固定でき、前記点滴用ロッド２６が点滴することに用いられ、前記薬品収納ケース装置９０２が薬品を貯蔵し、前記クッション装置９０３を回転させる時、噛み合いの伝動と互いに当接して連結されることにより前記取手装置９０１と前記フットサポート装置９０４とを同期起動させ、患者の移動に便利を与える。  
【００１６】
有益的に、前記移動装置９０５は前記医用ナイトテーブル主体１１の下端に設置され、且つ中心対称の四つの車軸３６を含み、前記車軸３６の下端にはボール３７がスライドできるように連結されている。
【００１７】
実施例によって、以下は取手装置９０１を詳しく説明し、前記取手装置９０１は前記医療器具スタンド２５のうち互いに近接している側の内壁に設置されたスライド溝４８を含み、前記スライド溝４８には取手４６がスライドできるように連結され、前記取手４６と前記スライド溝４８との間には引っ張りばね４９が連結され、前記取手４６のうち互いに近接している側の端面には接触ロッド４７が設置され、前記取手４６が前記スライド溝４８の中でスライドし、これにより移動と移動しないという二つの作動モードの間の切換を実現する。
【００１８】
実施例によって、以下は薬品収納ケース装置９０２を詳しく説明し、前記薬品収納ケース装置９０２は前記医用ナイトテーブル主体１１の上端端面の中に設置された弾性により復帰できる伸縮ガイドロッド１８を含み、前記伸縮ガイドロッド１８の上端には薬ケース２０が設置され、前記薬ケース２０の中には中心対称の四つの薬品貯蔵チャンバ１９が設置され、前記医療器具スタンド２５の前端には連結軸５０が固定的に連結され、前記連結軸５０の下端には前記薬ケース２０と螺旋状に連結されることができる蓋２２が回転できるように連結され、前記蓋２２の中には前記薬品貯蔵チャンバ１９と対応している密封チャンバ２１が設置され、前記密封チャンバ２１には抜き孔５３が連通するように設置され、前記抜き孔５３の中には隔離膜５４が設置され、前記蓋２２の上端には前記隔離膜５４のうち対称中心から離れている側に位置しているリミットロッド１７が設置され、前記連結軸５０には横板５１がスライドできるように連結され、前記横板５１の下端と前記蓋２２の上端との間には圧縮ばね５２が連結され、前記連結軸５０の右端には薬品置きブロック１６が設置され、前記薬品置きブロック１６には上方へ開口した薬品置き溝２４が設置され、前記薬品置き溝２４の左側にはノッチ２３が連通するように設置され、前記薬品置き溝２４の右側には回転溝５７が設置され、前記回転溝５７の中には弾性により復帰できる回転ロッド５６が回転できるように連結され、前記回転ロッド５６の左端にはヒンジ連結座５５がヒンジにより連結され、前記薬品置き溝２４の中には前記ヒンジ連結座５５とスライドできるように連結された置き台２７がスライドできるように連結され、前記ノッチ２３全体を下方へ前記密封チャンバ２１の中まで押し、この時に前記回転ロッド５６が前記リミットロッド１７に押されて回転し、これにより前記置き台２７が前記ノッチ２３の下端までスライドし、丸薬が前記ノッチ２３から入り、また前記置き台２７に落ち、これにより丸薬を取り出す。
【００１９】
実施例によって、以下はクッション装置９０３を詳しく説明し、前記クッション装置９０３は前記開口溝３３と回転できるように連結され、且つ前記伝動チャンバ３０の中まで左右に伸びている動力伝送軸３１を含み、前記動力伝送軸３１の外側には前記接触ロッド４７と当接しているクッション４５が設置され、前記動力伝送軸３１には前記伝動チャンバ３０の中に位置している上プーリ２８が設置され、前記動力伝送軸３１の中にはリミットチャンバ４２が設置され、前記リミットチャンバ４２の中には当接ロッド４４が設置され、前記リミットチャンバ４２の中には固定軸４３が回転できるように連結され、前記固定軸４３には前記当接ロッド４４と当接している引っ掛かりロッド４１が設置され、前記当接ロッド４４と前記引っ掛かりロッド４１との当接により、前記クッション４５の回転角度を制限し、また前記クッション４５により前記取手装置９０１を起動させる。
【００２０】
実施例によって、以下はフットサポート装置９０４を詳しく説明し、前記フットサポート装置９０４は前記伝動チャンバ３０の内壁と回転できるように連結され、且つ前記フットサポート収納溝４０の中に位置している従動軸３５を含み、前記従動軸３５には左右対称の下プーリ３４が設置され、前記下プーリ３４と前記上プーリ２８との間にはベルト２９が連結され、前記従動軸３５には前記フットサポート収納溝４０の中に位置しているギヤ３９が設置され、前記フットサポート収納溝４０の底端内壁には前記ギヤ３９と噛み合っているフットサポート３８がスライドできるように連結され、ベルトによる連結を通じて動力を前記クッション装置９０３から前記フットサポート装置９０４の中に伝送し、また噛み合いの伝動により前記フットサポート３８を推し出す。
【００２１】
以下図１〜６を参照して本発明の医用智能ナイトテーブルの使用ステップを詳しく説明する：
【００２２】
心電図検査などの検査をする時、医療設備を医療器具スタンド２５の中に固定し、同時に点滴用ロッド２６に水薬をかけることができる。
【００２３】
丸薬を取る時、横板５１を下方へ押し、ノッチ２３を推し動かして抜き孔５３を通して密封チャンバ２１の中に入り、下方へ移動する過程において、回転ロッド５６とリミットロッド１７との間の当接により、回転ロッド５６が回転して置き台２７を推し動かして下方へノッチ２３の下端まで移動させ、丸薬がノッチ２３の中から滑り込み、置き台２７に落ち、横板５１を放し、圧縮ばね５２の弾性復元力により横板５１を連動させて上方へ移動させ、この時に回転ロッド５６がリミットロッド１７との当接から離れ、また初期状態に戻るまで回転し、取ることに便利を与える。  
【００２４】
薬を換える又は補充する時、薬ケース２０を握り、蓋２２を回転させ、ネジ山による伝動を通じて蓋２２が薬ケース２０との連接から離れ、伸縮ガイドロッド１８の弾性復元力により蓋２２が下方へ移動し、薬品貯蔵チャンバ１９の中に薬を入れ、そして再び蓋２２をひねって固定する。
【００２５】
車いすに変える時、クッション４５を後方へ回転させ、また接触ロッド４７との当接により取手４６を推し動かしてスライド溝４８の中から滑り出させ、医師および看護員の仕事に便利を与え、同時に、クッション４５が動力伝送軸３１により上プーリ２８を連動させて回転させ、上プーリ２８がベルト２９により下プーリ３４を連動させ、下プーリ３４が医療器具スタンド２５によりギヤ３９を回転させ、ギヤ３９が噛み合いの伝動により、フットサポート３８がフットサポート収納溝４０の中から前方へ滑って出て、最後、当接ロッド４４と引っ掛かりロッド４１との当接により、クッション４５の後方へ傾斜する角度をロックする。
【００２６】
本発明の有益効果は：本発明は薬品と個人用品とを分離して固定することを通じて、薬品が汚染されないことを保証し、また一回で一個の丸薬を取る構成によって倒れることで薬品を浪費することを避け、そして回転の機械伝動の協働によってナイトテーブルを補助車いすに変え、適応する範囲を広げる。
【００２７】
以上の方式により、本分野の技術者が本発明の範囲内に作動モードにより各種な変化をすることができる。
【図１】
2020185360.tif 000003
【図２】
2020185360.tif 000004
【図３】
2020185360.tif 000005
【図４】
2020185360.tif 000006
【図５】
2020185360.tif 000007
【図６】
2020185360.tif 000008
【手続補正書】
【提出日】令和2年2月11日(2020.2.11)
【手続補正１】
【補正対象書類名】特許請求の範囲
【補正対象項目名】全文
【補正方法】変更
【補正の内容】
【特許請求の範囲】
【請求項１】
正面視で、医用ナイトテーブル主体を含み、前記医用ナイトテーブル主体の上端面には前記医用ナイトテーブル主体の後側端面に近接している医療器具スタンドが設置され、前記医療器具スタンドの中には左右対称の取手装置が設置され、前記医用ナイトテーブル主体の上端面には前記医療器具スタンドの前端に位置しており、且つ前記医用ナイトテーブル主体の右側端面に位置している薬品収納ケース装置が設置され、前記医用ナイトテーブル主体の上端面には前記薬品収納ケース装置の左側に位置している点滴用ロッドが設置され、前記医用ナイトテーブル主体の中には前方へ開口した小スライドチャンバが設置され、前記小スライドチャンバの中には小引き出しがスライドできるように連結され、前記小スライドチャンバの下端には前方へ開口した大スライドチャンバが設置され、前記大スライドチャンバの中には大引き出しがスライドできるように連結され、前記小スライドチャンバの上端には上方へ開口した開口溝が設置され、前記開口溝にはクッション装置が回転できるように設置され、前記医用ナイトテーブル主体の中には前記大スライドチャンバの左右端に位置している対称の伝動チャンバが設置され、前記伝動チャンバの間には前記大スライドチャンバの下端に位置しており、且つ前方へ開口したフットサポート収納溝が連通するように設置され、前記フットサポート収納溝の中にはフットサポート装置が設置され、前記医用ナイトテーブル主体の下側端面には移動装置が設置され、
前記移動装置は前記医用ナイトテーブル主体の下端に設置され、且つ中心対称の四つの車軸を含み、前記車軸の下端にはボールが設置され、
前記取手装置は前記医療器具スタンドのうち互いに近接している側の内壁に設置されたスライド溝を含み、前記スライド溝には取手がスライドできるように連結され、前記取手と前記スライド溝との間には引っ張りばねが連結され、前記取手のうち互いに近接している側の端面には接触ロッドが設置され、
前記薬品収納ケース装置は前記医用ナイトテーブル主体の上端端面の中に設置された弾性により復帰できる伸縮ガイドロッドを含み、前記伸縮ガイドロッドの上端には薬ケースが設置され、前記薬ケースの中には中心対称の四つの薬品貯蔵チャンバが設置され、前記医療器具スタンドの前端には連結軸が固定的に連結され、前記連結軸の下端には前記薬ケースと螺旋状に連結されることができる蓋が回転できるように連結され、前記蓋の中には前記薬品貯蔵チャンバと対応している密封チャンバが設置され、前記密封チャンバには抜き孔が連通するように設置され、前記抜き孔の中には隔離膜が設置され、前記蓋の上端には前記隔離膜のうち対称中心から離れている側に位置しているリミットロッドが設置され、前記連結軸には横板がスライドできるように連結され、前記横板の下端と前記蓋の上端との間には圧縮ばねが連結され、前記連結軸の右端には薬品置きブロックが設置され、前記薬品置きブロックには上方へ開口した薬品置き溝が設置され、前記薬品置き溝の左側にはノッチが連通するように設置され、前記薬品置き溝の右側には回転溝が設置され、前記回転溝の中には弾性により復帰できる回転ロッドが回転できるように連結され、前記回転ロッドの左端にはヒンジ連結座がヒンジにより連結され、前記薬品置き溝の中には前記ヒンジ連結座とスライドできるように連結された置き台がスライドできるように連結され、
前記クッション装置は前記開口溝と回転できるように連結され、且つ前記伝動チャンバの中まで左右に伸びている動力伝送軸を含み、前記動力伝送軸の外側には前記接触ロッドと当接しているクッションが設置され、前記動力伝送軸には前記伝動チャンバの中に位置している上プーリが設置され、前記動力伝送軸の外側には前記接触ロッドと当接しているクッションが設置され、前記動力伝送軸には前記伝動チャンバの中に位置している上プーリが設置され、前記動力伝送軸の中にはリミットチャンバが設置され、前記リミットチャンバの中には当接ロッドが設置され、前記リミットチャンバの中には固定軸が回転できるように連結され、前記固定軸には前記当接ロッドと当接している引っ掛かりロッドが設置され、
前記フットサポート装置は前記伝動チャンバの内壁と回転できるように連結され、且つ前記フットサポート収納溝の中に位置している従動軸を含み、前記従動軸には左右対称の下プーリが設置され、前記下プーリと前記上プーリとの間にはベルトが連結され、前記従動軸には前記フットサポート収納溝の中に位置しているギヤが設置され、前記フットサポート収納溝の底端内壁には前記ギヤと噛み合っているフットサポートがスライドできるように連結されていることを特徴とする医用ナイトテーブル。
【手続補正２】
【補正対象書類名】明細書
【補正対象項目名】全文
【補正方法】変更
【補正の内容】
【発明の詳細な説明】
【技術分野】
【０００１】
本発明は医療機械技術分野を取り上げて、具体的には医用ナイトテーブルである。
【背景技術】
【０００２】
病院のナイトテーブルには一般的に医療検査設備と薬品、患者用品などが固定される必要がある。ただの二つのナイトテーブルで上記の要求を満たすことができないので、混乱する状況になり、しかも行動が不便な人が出掛けて検診を受ける時、普通に病室の中に車いすがない。本発明は上記の問題を解決できる装置を開示した。
【先行技術文献】
【特許文献】
【０００３】
【特許文献１】中国特許出願公開第１０６３６１０１４号明細書
【発明の概要】
【発明が解決しようとする課題】
【０００４】
技術問題：
病室のナイトテーブルには一般的に医療設備が置かれ、しかし、従来のナイトテーブルが重いので運ぶことが不便であり、特に患者が出かけて検査を受ける場合、あるいは病室を換える場合、ナイトテーブルを運ぶことがごく不便である。本発明は医用ナイトテーブルを提供し、上記背景技術において提出された問題を解決することを目的とする。
【課題を解決するための手段】
【０００５】
本発明の医用ナイトテーブルは、医用ナイトテーブル主体を含み、前記医用ナイトテーブル主体の上端面には前記医用ナイトテーブル主体の後側端面に近接している医療器具スタンドが設置され、前記医療器具スタンドの中には左右対称の取手装置が設置され、前記医用ナイトテーブル主体の上端面には前記医療器具スタンドの前端に位置しており、且つ前記医用ナイトテーブル主体の右側端面に位置している薬品収納ケース装置が設置され、前記医用ナイトテーブル主体の上端面には前記薬品収納ケース装置の左側に位置している点滴用ロッドが設置され、前記医用ナイトテーブル主体の中には前方へ開口した小スライドチャンバが設置され、前記小スライドチャンバの中には小引き出しがスライドできるように連結され、前記小スライドチャンバの下端には前方へ開口した大スライドチャンバが設置され、前記大スライドチャンバの中には大引き出しがスライドできるように連結され、前記小スライドチャンバの上端には上方へ開口した開口溝が設置され、前記開口溝にはクッション装置が回転できるように設置され、前記医用ナイトテーブル主体の中には前記大スライドチャンバの左右端に位置している対称の伝動チャンバが設置され、前記伝動チャンバの間には前記大スライドチャンバの下端に位置しており、且つ前方へ開口したフットサポート収納溝が連通するように設置され、前記フットサポート収納溝の中にはフットサポート装置が設置され、前記医用ナイトテーブル主体の下側端面には移動装置が設置され、前記医療器具スタンドが医療設備を固定でき、前記点滴用ロッドが点滴することに用いられ、前記薬品収納ケース装置が薬品を貯蔵し、前記クッション装置を回転させる時、噛み合いの伝動と互いに当接して連結されることにより前記取手装置と前記フットサポート装置とを同期起動させている。
【０００６】
好ましくは、前記移動装置は前記医用ナイトテーブル主体の下端に設置され、且つ中心対称の四つの車軸を含み、前記車軸の下端にはボールが設置されている。
【０００７】
好ましくは、前記取手装置は前記医療器具スタンドのうち互いに近接している側の内壁に設置されたスライド溝を含み、前記スライド溝には取手がスライドできるように連結され、前記取手と前記スライド溝との間には引っ張りばねが連結され、前記取手のうち互いに近接している側の端面には接触ロッドが設置されている。
【０００８】
好ましくは、前記薬品収納ケース装置は前記医用ナイトテーブル主体の上端端面の中に設置された弾性により復帰できる伸縮ガイドロッドを含み、前記伸縮ガイドロッドの上端には薬ケースが設置され、前記薬ケースの中には中心対称の四つの薬品貯蔵チャンバが設置され、前記医療器具スタンドの前端には連結軸が固定的に連結され、前記連結軸の下端には前記薬ケースと螺旋状に連結されることができる蓋が回転できるように連結され、前記蓋の中には前記薬品貯蔵チャンバと対応している密封チャンバが設置され、前記密封チャンバには抜き孔が連通するように設置され、前記抜き孔の中には隔離膜が設置され、前記蓋の上端には前記隔離膜のうち対称中心から離れている側に位置しているリミットロッドが設置され、前記連結軸には横板がスライドできるように連結され、前記横板の下端と前記蓋の上端との間には圧縮ばねが連結され、前記連結軸の右端には薬品置きブロックが設置され、前記薬品置きブロックには上方へ開口した薬品置き溝が設置され、前記薬品置き溝の左側にはノッチが連通するように設置され、前記薬品置き溝の右側には回転溝が設置され、前記回転溝の中には弾性により復帰できる回転ロッドが回転できるように連結され、前記回転ロッドの左端にはヒンジ連結座がヒンジにより連結され、前記薬品置き溝の中には前記ヒンジ連結座とスライドできるように連結された置き台がスライドできるように連結されている。
【０００９】
好ましくは、前記クッション装置は前記開口溝と回転できるように連結され、且つ前記伝動チャンバの中まで左右に伸びている動力伝送軸を含み、前記動力伝送軸の外側には前記接触ロッドと当接しているクッションが設置され、前記動力伝送軸には前記伝動チャンバの中に位置している上プーリが設置され、前記動力伝送軸の外側には前記接触ロッドと当接しているクッションが設置され、前記動力伝送軸には前記伝動チャンバの中に位置している上プーリが設置され、前記動力伝送軸の中にはリミットチャンバが設置され、前記リミットチャンバの中には当接ロッドが設置され、前記リミットチャンバの中には固定軸が回転できるように連結され、前記固定軸には前記当接ロッドと当接している引っ掛かりロッドが設置されている。
【００１０】
好ましくは、前記フットサポート装置は前記伝動チャンバの内壁と回転できるように連結され、且つ前記フットサポート収納溝の中に位置している従動軸を含み、前記従動軸には左右対称の下プーリが設置され、前記下プーリと前記上プーリとの間にはベルトが連結され、前記従動軸には前記フットサポート収納溝の中に位置しているギヤが設置され、前記フットサポート収納溝の底端内壁には前記ギヤと噛み合っているフットサポートがスライドできるように連結されている。
【発明の効果】
【００１１】
本発明の有益効果は：本発明は薬品と個人用品とを分離して固定することを通じて、薬品が汚染されないことを保証し、また一回で一個の丸薬を取る構成によって倒れることで薬品を浪費することを避け、そして回転の機械伝動の協働によってナイトテーブルを補助車いすに変え、適応する範囲を広げる。
【図面の簡単な説明】
【００１２】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の医用ナイトテーブルの全体構成模式図
【図２】図２は図１の「Ａ―Ａ」の構成模式図
【図３】図３は図１の「Ｂ―Ｂ」の構成模式図
【図４】図４は図１の「Ｃ―Ｃ」の構成模式図
【図５】図５は図１の中の薬品収納ケース装置の構成模式図
【図６】図６は図５の「Ｄ」の拡大構成模式図
【発明を実施するための形態】
【００１４】
本発明は医用ナイトテーブルを取り上げて、主に病院や療養所などに応用され、患者の移動の便利を図り、以下本発明の付図を交えて本発明について更に説明し、
【００１５】
図１〜６を参照し、本発明の医用ナイトテーブルは、医用ナイトテーブル主体１１を含み、前記医用ナイトテーブル主体１１の上端面には前記医用ナイトテーブル主体１１の後側端面に近接している医療器具スタンド２５が設置され、前記医療器具スタンド２５の中には左右対称の取手装置９０１が設置され、前記医用ナイトテーブル主体１１の上端面には前記医療器具スタンド２５の前端に位置しており、且つ前記医用ナイトテーブル主体１１の右側端面に位置している薬品収納ケース装置９０２が設置され、前記医用ナイトテーブル主体１１の上端面には前記薬品収納ケース装置９０２の左側に位置している点滴用ロッド２６が設置され、前記医用ナイトテーブル主体１１の中には前方へ開口した小スライドチャンバ１４が設置され、前記小スライドチャンバ１４の中には小引き出し１５がスライドできるように連結され、前記小スライドチャンバ１４の下端には前方へ開口した大スライドチャンバ１２が設置され、前記大スライドチャンバ１２の中には大引き出し１３がスライドできるように連結され、前記小スライドチャンバ１４の上端には上方へ開口した開口溝３３が設置され、前記開口溝３３にはクッション装置９０３が回転できるように設置され、前記医用ナイトテーブル主体１１の中には前記大スライドチャンバ１２の左右端に位置している対称の伝動チャンバ３０が設置され、前記伝動チャンバ３０の間には前記大スライドチャンバ１２の下端に位置しており、且つ前方へ開口したフットサポート収納溝４０が連通するように設置され、前記フットサポート収納溝４０の中にはフットサポート装置９０４が設置され、前記医用ナイトテーブル主体１１の下側端面には移動装置９０５が設置され、前記医療器具スタンド２５が医療設備を固定でき、前記点滴用ロッド２６が点滴することに用いられ、前記薬品収納ケース装置９０２が薬品を貯蔵し、前記クッション装置９０３を回転させる時、噛み合いの伝動と互いに当接して連結されることにより前記取手装置９０１と前記フットサポート装置９０４とを同期起動させ、患者の移動に便利を与える。
【００１６】
有益的に、前記移動装置９０５は前記医用ナイトテーブル主体１１の下端に設置され、且つ中心対称の四つの車軸３６を含み、前記車軸３６の下端にはボール３７が設置されている。
【００１７】
実施例によって、以下は取手装置９０１を詳しく説明し、前記取手装置９０１は前記医療器具スタンド２５のうち互いに近接している側の内壁に設置されたスライド溝４８を含み、前記スライド溝４８には取手４６がスライドできるように連結され、前記取手４６と前記スライド溝４８との間には引っ張りばね４９が連結され、前記取手４６のうち互いに近接している側の端面には接触ロッド４７が設置され、前記取手４６が前記スライド溝４８の中でスライドし、これにより移動と移動しないという二つの作動モードの間の切換を実現する。
【００１８】
実施例によって、以下は薬品収納ケース装置９０２を詳しく説明し、前記薬品収納ケース装置９０２は前記医用ナイトテーブル主体１１の上端端面の中に設置された弾性により復帰できる伸縮ガイドロッド１８を含み、前記伸縮ガイドロッド１８の上端には薬ケース２０が設置され、前記薬ケース２０の中には中心対称の四つの薬品貯蔵チャンバ１９が設置され、前記医療器具スタンド２５の前端には連結軸５０が固定的に連結され、前記連結軸５０の下端には前記薬ケース２０と螺旋状に連結されることができる蓋２２が回転できるように連結され、前記蓋２２の中には前記薬品貯蔵チャンバ１９と対応している密封チャンバ２１が設置され、前記密封チャンバ２１には抜き孔５３が連通するように設置され、前記抜き孔５３の中には隔離膜５４が設置され、前記蓋２２の上端には前記隔離膜５４のうち対称中心から離れている側に位置しているリミットロッド１７が設置され、前記連結軸５０には横板５１がスライドできるように連結され、前記横板５１の下端と前記蓋２２の上端との間には圧縮ばね５２が連結され、前記連結軸５０の右端には薬品置きブロック１６が設置され、前記薬品置きブロック１６には上方へ開口した薬品置き溝２４が設置され、前記薬品置き溝２４の左側にはノッチ２３が連通するように設置され、前記薬品置き溝２４の右側には回転溝５７が設置され、前記回転溝５７の中には弾性により復帰できる回転ロッド５６が回転できるように連結され、前記回転ロッド５６の左端にはヒンジ連結座５５がヒンジにより連結され、前記薬品置き溝２４の中には前記ヒンジ連結座５５とスライドできるように連結された置き台２７がスライドできるように連結され、前記ノッチ２３全体を下方へ前記密封チャンバ２１の中まで押し、この時に前記回転ロッド５６が前記リミットロッド１７に押されて回転し、これにより前記置き台２７が前記ノッチ２３の下端までスライドし、丸薬が前記ノッチ２３から入り、また前記置き台２７に落ち、これにより丸薬を取り出す。
【００１９】
実施例によって、以下はクッション装置９０３を詳しく説明し、前記クッション装置９０３は前記開口溝３３と回転できるように連結され、且つ前記伝動チャンバ３０の中まで左右に伸びている動力伝送軸３１を含み、前記動力伝送軸３１の外側には前記接触ロッド４７と当接しているクッション４５が設置され、前記動力伝送軸３１には前記伝動チャンバ３０の中に位置している上プーリ２８が設置され、前記動力伝送軸３１の中にはリミットチャンバ４２が設置され、前記リミットチャンバ４２の中には当接ロッド４４が設置され、前記リミットチャンバ４２の中には固定軸４３が回転できるように連結され、前記固定軸４３には前記当接ロッド４４と当接している引っ掛かりロッド４１が設置され、前記当接ロッド４４と前記引っ掛かりロッド４１との当接により、前記クッション４５の回転角度を制限し、また前記クッション４５により前記取手装置９０１を起動させる。
【００２０】
実施例によって、以下はフットサポート装置９０４を詳しく説明し、前記フットサポート装置９０４は前記伝動チャンバ３０の内壁と回転できるように連結され、且つ前記フットサポート収納溝４０の中に位置している従動軸３５を含み、前記従動軸３５には左右対称の下プーリ３４が設置され、前記下プーリ３４と前記上プーリ２８との間にはベルト２９が連結され、前記従動軸３５には前記フットサポート収納溝４０の中に位置しているギヤ３９が設置され、前記フットサポート収納溝４０の底端内壁には前記ギヤ３９と噛み合っているフットサポート３８がスライドできるように連結され、ベルトによる連結を通じて動力を前記クッション装置９０３から前記フットサポート装置９０４の中に伝送し、また噛み合いの伝動により前記フットサポート３８を推し出す。
【００２１】
以下図１〜６を参照して本発明の医用ナイトテーブルの使用ステップを詳しく説明する：
【００２２】
心電図検査などの検査をする時、医療設備を医療器具スタンド２５の中に固定し、同時に点滴用ロッド２６に水薬をかけることができる。
【００２３】
丸薬を取る時、横板５１を下方へ押し、ノッチ２３を推し動かして抜き孔５３を通して密封チャンバ２１の中に入り、下方へ移動する過程において、回転ロッド５６とリミットロッド１７との間の当接により、回転ロッド５６が回転して置き台２７を推し動かして下方へノッチ２３の下端まで移動させ、丸薬がノッチ２３の中から滑り込み、置き台２７に落ち、横板５１を放し、圧縮ばね５２の弾性復元力により横板５１を連動させて上方へ移動させ、この時に回転ロッド５６がリミットロッド１７との当接から離れ、また初期状態に戻るまで回転し、取ることに便利を与える。
【００２４】
薬を換える又は補充する時、薬ケース２０を握り、蓋２２を回転させ、ネジ山による伝動を通じて蓋２２が薬ケース２０との連接から離れ、伸縮ガイドロッド１８の弾性復元力により蓋２２が下方へ移動し、薬品貯蔵チャンバ１９の中に薬を入れ、そして再び蓋２２をひねって固定する。
【００２５】
車いすに変える時、クッション４５を後方へ回転させ、また接触ロッド４７との当接により取手４６を推し動かしてスライド溝４８の中から滑り出させ、医師および看護員の仕事に便利を与え、同時に、クッション４５が動力伝送軸３１により上プーリ２８を連動させて回転させ、上プーリ２８がベルト２９により下プーリ３４を連動させ、下プーリ３４が医療器具スタンド２５によりギヤ３９を回転させ、ギヤ３９が噛み合いの伝動により、フットサポート３８がフットサポート収納溝４０の中から前方へ滑って出て、最後、当接ロッド４４と引っ掛かりロッド４１との当接により、クッション４５の後方へ傾斜する角度をロックする。
【００２６】
本発明の有益効果は：本発明は薬品と個人用品とを分離して固定することを通じて、薬品が汚染されないことを保証し、また一回で一個の丸薬を取る構成によって倒れることで薬品を浪費することを避け、そして回転の機械伝動の協働によってナイトテーブルを補助車いすに変え、適応する範囲を広げる。
【００２７】
以上の方式により、本分野の技術者が本発明の範囲内に作動モードにより各種な変化をすることができる。
【手続補正３】
【補正対象書類名】図面
【補正対象項目名】図３
【補正方法】変更
【補正の内容】
【図３】
2020185360.tif 000009
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
正面視で、医用ナイトテーブル主体を含み、前記医用ナイトテーブル主体の上端面には前記医用ナイトテーブル主体の後側端面に近接している医療器具スタンドが設置され、前記医療器具スタンドの中には取手装置が設置され、前記医用ナイトテーブル主体の上端面には、前記医療器具スタンドの前端に位置し、且つ前記医用ナイトテーブル主体の上側端面において右側に近接するところに位置している薬品収納ケース装置が設置され、前記医用ナイトテーブル主体の上端面には前記薬品収納ケース装置の左側に位置している点滴用ロッドが設置され、前記医用ナイトテーブル主体の中には前方へ開口した小スライドチャンバが設置され、前記小スライドチャンバの中には小引き出しがスライドできるように連結され、前記小スライドチャンバの下端には前方へ開口した大スライドチャンバが設置され、前記大スライドチャンバの中には大引き出しがスライドできるように連結され、前記小スライドチャンバの上端には上方へ開口した開口溝が設置され、前記開口溝にはクッション装置が回転できるように設置され、前記医用ナイトテーブル主体の中には前記大スライドチャンバの左右端に位置している対称の伝動チャンバが設置され、前記伝動チャンバの間には前記大スライドチャンバの下端に位置しており、且つ前方へ開口したフットサポート収納溝が連通するように設置され、前記フットサポート収納溝の中にはフットサポート装置が設置され、前記医用ナイトテーブル主体の下側端面には移動装置が設置され、
前記移動装置は前記医用ナイトテーブル主体の下端に設置され、且つ中心対称の四つの車軸を含み、前記車軸の下端にはボールが設置され、
前記取手装置は、前記医療器具スタンドの鉛直端の部分に形成されかつ左右対称になるスライド溝を含み、前記スライド溝には取手がスライドできるように連結され、前記取手と前記スライド溝との間には引っ張りばねが連結され、前記取手のうち互いに近接している側の端面には接触ロッドが設置され、
前記薬品収納ケース装置は前記医用ナイトテーブル主体の上端端面の中に設置された弾性により復帰できる伸縮ガイドロッドを含み、前記伸縮ガイドロッドの上端には薬ケースが設置され、前記薬ケースの中には中心対称の四つの薬品貯蔵チャンバが設置され、前記医療器具スタンドの前端には連結軸が固定的に連結され、前記連結軸の下端には前記薬ケースと螺旋状に連結されることができる蓋が回転できるように連結され、前記蓋の中には前記薬品貯蔵チャンバと対応している密封チャンバが設置され、前記密封チャンバには抜き孔が連通するように設置され、前記抜き孔の中には隔離膜が設置され、前記蓋の上端には前記隔離膜のうち対称中心から離れている側に位置しているリミットロッドが設置され、前記連結軸には横板がスライドできるように連結され、前記横板の下端と前記蓋の上端との間には圧縮ばねが連結され、前記連結軸の右端には薬品置きブロックが設置され、前記薬品置きブロックには上方へ開口した薬品置き溝が設置され、前記薬品置き溝の左側にはノッチが連通するように設置され、前記薬品置き溝の右側には回転溝が設置され、前記回転溝の中には弾性により復帰できる回転ロッドが回転できるように連結され、前記回転ロッドの左端にはヒンジ連結座がヒンジにより連結され、前記薬品置き溝の中には前記ヒンジ連結座とスライドできるように連結された置き台がスライドできるように連結され、
前記クッション装置は前記開口溝と回転できるように連結され、且つ前記伝動チャンバの中まで左右に伸びている動力伝送軸を含み、前記動力伝送軸の外側には前記接触ロッドと当接しているクッションが設置され、前記動力伝送軸には前記伝動チャンバの中に位置している上プーリが設置され、前記動力伝送軸の外側には前記接触ロッドと当接しているクッションが設置され、前記動力伝送軸には前記伝動チャンバの中に位置している上プーリが設置され、前記動力伝送軸の中にはリミットチャンバが設置され、前記リミットチャンバの中には当接ロッドが設置され、前記リミットチャンバの中には固定軸が回転できるように連結され、前記固定軸には前記当接ロッドと当接している引っ掛かりロッドが設置され、
前記フットサポート装置は前記伝動チャンバの内壁と回転できるように連結され、且つ前記フットサポート収納溝の中に位置している従動軸を含み、前記従動軸には左右対称の下プーリが設置され、前記下プーリと前記上プーリとの間にはベルトが連結され、前記従動軸には前記フットサポート収納溝の中に位置しているギヤが設置され、前記フットサポート収納溝の底端内壁には前記ギヤと噛み合っているフットサポートがスライドできるように連結されていることを特徴とする医用ナイトテーブル。
【手続補正２】
【補正対象書類名】明細書
【補正対象項目名】全文
【補正方法】変更
【補正の内容】
【発明の詳細な説明】
【技術分野】
【０００１】
本発明は医療機械技術分野を取り上げて、具体的には医用ナイトテーブルである。
【背景技術】
【０００２】
病院のナイトテーブルには一般的に医療検査設備と薬品、患者用品などが固定される必要がある。ただの二つのナイトテーブルで上記の要求を満たすことができないので、混乱する状況になり、しかも行動が不便な人が出掛けて検診を受ける時、普通に病室の中に車いすがない。本発明は上記の問題を解決できる装置を開示した。
【先行技術文献】
【特許文献】
【０００３】
【特許文献１】中国特許出願公開第１０６３６１０１４号明細書
【発明の概要】
【発明が解決しようとする課題】
【０００４】
技術問題：
病室のナイトテーブルには一般的に医療設備が置かれ、しかし、従来のナイトテーブルが重いので運ぶことが不便であり、特に患者が出かけて検査を受ける場合、あるいは病室を換える場合、ナイトテーブルを運ぶことがごく不便である。本発明は医用ナイトテーブルを提供し、上記背景技術において提出された問題を解決することを目的とする。
【課題を解決するための手段】
【０００５】
本発明の医用ナイトテーブルは、医用ナイトテーブル主体を含み、前記医用ナイトテーブル主体の上端面には前記医用ナイトテーブル主体の後側端面に近接している医療器具スタンドが設置され、前記医療器具スタンドの中には取手装置が設置され、前記医用ナイトテーブル主体の上端面には、前記医療器具スタンドの前端に位置し、且つ前記医用ナイトテーブル主体の上側端面において右側に近接するところに位置している薬品収納ケース装置が設置され、前記医用ナイトテーブル主体の上端面には前記薬品収納ケース装置の左側に位置している点滴用ロッドが設置され、前記医用ナイトテーブル主体の中には前方へ開口した小スライドチャンバが設置され、前記小スライドチャンバの中には小引き出しがスライドできるように連結され、前記小スライドチャンバの下端には前方へ開口した大スライドチャンバが設置され、前記大スライドチャンバの中には大引き出しがスライドできるように連結され、前記小スライドチャンバの上端には上方へ開口した開口溝が設置され、前記開口溝にはクッション装置が回転できるように設置され、前記医用ナイトテーブル主体の中には前記大スライドチャンバの左右端に位置している対称の伝動チャンバが設置され、前記伝動チャンバの間には前記大スライドチャンバの下端に位置しており、且つ前方へ開口したフットサポート収納溝が連通するように設置され、前記フットサポート収納溝の中にはフットサポート装置が設置され、前記医用ナイトテーブル主体の下側端面には移動装置が設置され、前記医療器具スタンドが医療設備を固定でき、前記点滴用ロッドが点滴することに用いられ、前記薬品収納ケース装置が薬品を貯蔵し、前記クッション装置を回転させる時、噛み合いの伝動と互いに当接して連結されることにより前記取手装置と前記フットサポート装置とを同期起動させている。
【０００６】
好ましくは、前記移動装置は前記医用ナイトテーブル主体の下端に設置され、且つ中心対称の四つの車軸を含み、前記車軸の下端にはボールが設置されている。
【０００７】
好ましくは、前記取手装置は、前記医療器具スタンドの鉛直端の部分に形成されかつ左右対称になるスライド溝を含み、前記スライド溝には取手がスライドできるように連結され、前記取手と前記スライド溝との間には引っ張りばねが連結され、前記取手のうち互いに近接している側の端面には接触ロッドが設置されている。
【０００８】
好ましくは、前記薬品収納ケース装置は前記医用ナイトテーブル主体の上端端面の中に設置された弾性により復帰できる伸縮ガイドロッドを含み、前記伸縮ガイドロッドの上端には薬ケースが設置され、前記薬ケースの中には中心対称の四つの薬品貯蔵チャンバが設置され、前記医療器具スタンドの前端には連結軸が固定的に連結され、前記連結軸の下端には前記薬ケースと螺旋状に連結されることができる蓋が回転できるように連結され、前記蓋の中には前記薬品貯蔵チャンバと対応している密封チャンバが設置され、前記密封チャンバには抜き孔が連通するように設置され、前記抜き孔の中には隔離膜が設置され、前記蓋の上端には前記隔離膜のうち対称中心から離れている側に位置しているリミットロッドが設置され、前記連結軸には横板がスライドできるように連結され、前記横板の下端と前記蓋の上端との間には圧縮ばねが連結され、前記連結軸の右端には薬品置きブロックが設置され、前記薬品置きブロックには上方へ開口した薬品置き溝が設置され、前記薬品置き溝の左側にはノッチが連通するように設置され、前記薬品置き溝の右側には回転溝が設置され、前記回転溝の中には弾性により復帰できる回転ロッドが回転できるように連結され、前記回転ロッドの左端にはヒンジ連結座がヒンジにより連結され、前記薬品置き溝の中には前記ヒンジ連結座とスライドできるように連結された置き台がスライドできるように連結されている。
【０００９】
好ましくは、前記クッション装置は前記開口溝と回転できるように連結され、且つ前記伝動チャンバの中まで左右に伸びている動力伝送軸を含み、前記動力伝送軸の外側には前記接触ロッドと当接しているクッションが設置され、前記動力伝送軸には前記伝動チャンバの中に位置している上プーリが設置され、前記動力伝送軸の外側には前記接触ロッドと当接しているクッションが設置され、前記動力伝送軸には前記伝動チャンバの中に位置している上プーリが設置され、前記動力伝送軸の中にはリミットチャンバが設置され、前記リミットチャンバの中には当接ロッドが設置され、前記リミットチャンバの中には固定軸が回転できるように連結され、前記固定軸には前記当接ロッドと当接している引っ掛かりロッドが設置されている。
【００１０】
好ましくは、前記フットサポート装置は前記伝動チャンバの内壁と回転できるように連結され、且つ前記フットサポート収納溝の中に位置している従動軸を含み、前記従動軸には左右対称の下プーリが設置され、前記下プーリと前記上プーリとの間にはベルトが連結され、前記従動軸には前記フットサポート収納溝の中に位置しているギヤが設置され、前記フットサポート収納溝の底端内壁には前記ギヤと噛み合っているフットサポートがスライドできるように連結されている。
【発明の効果】
【００１１】
本発明の有益効果は：本発明は薬品と個人用品とを分離して固定することを通じて、薬品が汚染されないことを保証し、また一回で一個の丸薬を取る構成によって倒れることで薬品を浪費することを避け、そして回転の機械伝動の協働によってナイトテーブルを補助車いすに変え、適応する範囲を広げる。
【図面の簡単な説明】
【００１２】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の医用ナイトテーブルの全体構成模式図
【図２】図２は図１の「Ａ―Ａ」の構成模式図
【図３】図３は図１の「Ｂ―Ｂ」の構成模式図
【図４】図４は図１の「Ｃ―Ｃ」の構成模式図
【図５】図５は図１の中の薬品収納ケース装置の構成模式図
【図６】図６は図５の「Ｄ」の拡大構成模式図
【発明を実施するための形態】
【００１４】
本発明は医用ナイトテーブルを取り上げて、主に病院や療養所などに応用され、患者の移動の便利を図り、以下本発明の付図を交えて本発明について更に説明し、
【００１５】
図１〜６を参照し、本発明の医用ナイトテーブルは、医用ナイトテーブル主体１１を含み、前記医用ナイトテーブル主体１１の上端面には前記医用ナイトテーブル主体１１の後側端面に近接している医療器具スタンド２５が設置され、前記医療器具スタンド２５の中には取手装置９０１が設置され、前記医用ナイトテーブル主体１１の上端面には、前記医療器具スタンド２５の前端に位置し、且つ前記医用ナイトテーブル主体１１の上側端面において右側に近接するところに位置している薬品収納ケース装置９０２が設置され、前記医用ナイトテーブル主体１１の上端面には前記薬品収納ケース装置９０２の左側に位置している点滴用ロッド２６が設置され、前記医用ナイトテーブル主体１１の中には前方へ開口した小スライドチャンバ１４が設置され、前記小スライドチャンバ１４の中には小引き出し１５がスライドできるように連結され、前記小スライドチャンバ１４の下端には前方へ開口した大スライドチャンバ１２が設置され、前記大スライドチャンバ１２の中には大引き出し１３がスライドできるように連結され、前記小スライドチャンバ１４の上端には上方へ開口した開口溝３３が設置され、前記開口溝３３にはクッション装置９０３が回転できるように設置され、前記医用ナイトテーブル主体１１の中には前記大スライドチャンバ１２の左右端に位置している対称の伝動チャンバ３０が設置され、前記伝動チャンバ３０の間には前記大スライドチャンバ１２の下端に位置しており、且つ前方へ開口したフットサポート収納溝４０が連通するように設置され、前記フットサポート収納溝４０の中にはフットサポート装置９０４が設置され、前記医用ナイトテーブル主体１１の下側端面には移動装置９０５が設置され、前記医療器具スタンド２５が医療設備を固定でき、前記点滴用ロッド２６が点滴することに用いられ、前記薬品収納ケース装置９０２が薬品を貯蔵し、前記クッション装置９０３を回転させる時、噛み合いの伝動と互いに当接して連結されることにより前記取手装置９０１と前記フットサポート装置９０４とを同期起動させ、患者の移動に便利を与える。
【００１６】
有益的に、前記移動装置９０５は前記医用ナイトテーブル主体１１の下端に設置され、且つ中心対称の四つの車軸３６を含み、前記車軸３６の下端にはボール３７が設置されている。
【００１７】
実施例によって、以下は取手装置９０１を詳しく説明し、前記取手装置９０１は、前記医療器具スタンド２５の鉛直端の部分に形成されかつ左右対称になるスライド溝４８を含み、前記スライド溝４８には取手４６がスライドできるように連結され、前記取手４６と前記スライド溝４８との間には引っ張りばね４９が連結され、前記取手４６のうち互いに近接している側の端面には接触ロッド４７が設置され、前記取手４６が前記スライド溝４８の中でスライドし、これにより移動と移動しないという二つの作動モードの間の切換を実現する。
【００１８】
実施例によって、以下は薬品収納ケース装置９０２を詳しく説明し、前記薬品収納ケース装置９０２は前記医用ナイトテーブル主体１１の上端端面の中に設置された弾性により復帰できる伸縮ガイドロッド１８を含み、前記伸縮ガイドロッド１８の上端には薬ケース２０が設置され、前記薬ケース２０の中には中心対称の四つの薬品貯蔵チャンバ１９が設置され、前記医療器具スタンド２５の前端には連結軸５０が固定的に連結され、前記連結軸５０の下端には前記薬ケース２０と螺旋状に連結されることができる蓋２２が回転できるように連結され、前記蓋２２の中には前記薬品貯蔵チャンバ１９と対応している密封チャンバ２１が設置され、前記密封チャンバ２１には抜き孔５３が連通するように設置され、前記抜き孔５３の中には隔離膜５４が設置され、前記蓋２２の上端には前記隔離膜５４のうち対称中心から離れている側に位置しているリミットロッド１７が設置され、前記連結軸５０には横板５１がスライドできるように連結され、前記横板５１の下端と前記蓋２２の上端との間には圧縮ばね５２が連結され、前記連結軸５０の右端には薬品置きブロック１６が設置され、前記薬品置きブロック１６には上方へ開口した薬品置き溝２４が設置され、前記薬品置き溝２４の左側にはノッチ２３が連通するように設置され、前記薬品置き溝２４の右側には回転溝５７が設置され、前記回転溝５７の中には弾性により復帰できる回転ロッド５６が回転できるように連結され、前記回転ロッド５６の左端にはヒンジ連結座５５がヒンジにより連結され、前記薬品置き溝２４の中には前記ヒンジ連結座５５とスライドできるように連結された置き台２７がスライドできるように連結され、前記ノッチ２３全体を下方へ前記密封チャンバ２１の中まで押し、この時に前記回転ロッド５６が前記リミットロッド１７に押されて回転し、これにより前記置き台２７が前記ノッチ２３の下端までスライドし、丸薬が前記ノッチ２３から入り、また前記置き台２７に落ち、これにより丸薬を取り出す。
【００１９】
実施例によって、以下はクッション装置９０３を詳しく説明し、前記クッション装置９０３は前記開口溝３３と回転できるように連結され、且つ前記伝動チャンバ３０の中まで左右に伸びている動力伝送軸３１を含み、前記動力伝送軸３１の外側には前記接触ロッド４７と当接しているクッション４５が設置され、前記動力伝送軸３１には前記伝動チャンバ３０の中に位置している上プーリ２８が設置され、前記動力伝送軸３１の中にはリミットチャンバ４２が設置され、前記リミットチャンバ４２の中には当接ロッド４４が設置され、前記リミットチャンバ４２の中には固定軸４３が回転できるように連結され、前記固定軸４３には前記当接ロッド４４と当接している引っ掛かりロッド４１が設置され、前記当接ロッド４４と前記引っ掛かりロッド４１との当接により、前記クッション４５の回転角度を制限し、また前記クッション４５により前記取手装置９０１を起動させる。
【００２０】
実施例によって、以下はフットサポート装置９０４を詳しく説明し、前記フットサポート装置９０４は前記伝動チャンバ３０の内壁と回転できるように連結され、且つ前記フットサポート収納溝４０の中に位置している従動軸３５を含み、前記従動軸３５には左右対称の下プーリ３４が設置され、前記下プーリ３４と前記上プーリ２８との間にはベルト２９が連結され、前記従動軸３５には前記フットサポート収納溝４０の中に位置しているギヤ３９が設置され、前記フットサポート収納溝４０の底端内壁には前記ギヤ３９と噛み合っているフットサポート３８がスライドできるように連結され、ベルトによる連結を通じて動力を前記クッション装置９０３から前記フットサポート装置９０４の中に伝送し、また噛み合いの伝動により前記フットサポート３８を推し出す。
【００２１】
以下図１〜６を参照して本発明の医用ナイトテーブルの使用ステップを詳しく説明する：
【００２２】
心電図検査などの検査をする時、医療設備を医療器具スタンド２５の中に固定し、同時に点滴用ロッド２６に水薬をかけることができる。
【００２３】
丸薬を取る時、横板５１を下方へ押し、ノッチ２３を推し動かして抜き孔５３を通して密封チャンバ２１の中に入り、下方へ移動する過程において、回転ロッド５６とリミットロッド１７との間の当接により、回転ロッド５６が回転して置き台２７を推し動かして下方へノッチ２３の下端まで移動させ、丸薬がノッチ２３の中から滑り込み、置き台２７に落ち、横板５１を放し、圧縮ばね５２の弾性復元力により横板５１を連動させて上方へ移動させ、この時に回転ロッド５６がリミットロッド１７との当接から離れ、また初期状態に戻るまで回転し、取ることに便利を与える。
【００２４】
薬を換える又は補充する時、薬ケース２０を握り、蓋２２を回転させ、ネジ山による伝動を通じて蓋２２が薬ケース２０との連接から離れ、伸縮ガイドロッド１８の弾性復元力により蓋２２が下方へ移動し、薬品貯蔵チャンバ１９の中に薬を入れ、そして再び蓋２２をひねって固定する。
【００２５】
車いすに変える時、クッション４５を後方へ回転させ、また接触ロッド４７との当接により取手４６を推し動かしてスライド溝４８の中から滑り出させ、医師および看護員の仕事に便利を与え、同時に、クッション４５が動力伝送軸３１により上プーリ２８を連動させて回転させ、上プーリ２８がベルト２９により下プーリ３４を連動させ、下プーリ３４が医療器具スタンド２５によりギヤ３９を回転させ、ギヤ３９が噛み合いの伝動により、フットサポート３８がフットサポート収納溝４０の中から前方へ滑って出て、最後、当接ロッド４４と引っ掛かりロッド４１との当接により、クッション４５の後方へ傾斜する角度をロックする。
【００２６】
本発明の有益効果は：本発明は薬品と個人用品とを分離して固定することを通じて、薬品が汚染されないことを保証し、また一回で一個の丸薬を取る構成によって倒れることで薬品を浪費することを避け、そして回転の機械伝動の協働によってナイトテーブルを補助車いすに変え、適応する範囲を広げる。
【００２７】
以上の方式により、本分野の技術者が本発明の範囲内に作動モードにより各種な変化をすることができる。